(57)【要約】【課題】培養液の水位、品質、濃度を均一化すると共に、植物の生育に重要な役割を果たす培養液の温度を、必要最小限のエネルギーで一定に保つことのできる中空栽培槽を提供する。【解決手段】培養液５０を溜める液溜め部１ａを有する栽培槽本体１と、植物８を保持する栽培棚２を備えた水耕栽培用の栽培槽であって、栽培槽本体１は、少なくとも内壁１０と外壁１１とを備える中空の多層壁構造体となっており、該多層壁構造体は少なくとも１つの仕切り部３により区切られて、複数の中空部４が形成された構成とする。栽培槽本体１が中空の多層壁構造体であり、内壁１０と外壁１１との間に、熱を伝え難い空気層が形成されるため、液溜め部１ａに供給される培養液５０の温度が略一定に保たれて、低温になり過ぎたり高温になり過ぎたりしないため、植物８が順調に生育する。【選択図】図２
2016154473.tif 000002
【特許請求の範囲】
【請求項１】
培養液を溜める液溜め部を有する栽培槽本体と、植物を保持する栽培棚を備えた水耕栽培用の栽培槽であって、
上記栽培槽本体は、少なくとも内壁と外壁とを備える中空の多層壁構造体となっており、該多層壁構造体は少なくとも１つの仕切り部により区切られて、複数の中空部が形成されていることを特徴とする中空栽培槽。
【請求項２】
少なくとも１つの中空部に、栽培槽本体の液溜め部に培養液を供給する培養液供給部が、栽培槽本体の長さ方向に沿って設けられていることを特徴とする請求項１に記載の中空栽培槽。
【請求項３】
栽培槽本体に、培養液が液溜め部の設定された液面に達すると排出されるオーバーフロー部が設けられており、該培養液供給部が該オーバーフロー部よりも上側に位置することを特徴とする請求項２に記載の中空栽培槽。
【請求項４】
少なくとも１つの中空部に熱媒体を循環させることを特徴とする請求項１ないし請求項３のいずれかに記載の中空栽培槽。
【請求項５】
栽培槽本体が、内壁、外壁、及び、該内壁と外壁との間に設けられた中壁とを備える３重の多層壁構造体であり、液溜め部に最も近い中空部に熱媒体を循環させることを特徴とする請求項４に記載の中空栽培槽。
【発明の詳細な説明】
【技術分野】
【０００１】
本発明は、水耕栽培用の栽培槽に関し、更に詳しくは、植物の生育に重要な役割を果たす培地周辺や植物体根域の培養液の温度を、略一定に保つことのできる中空栽培槽に関するものである。
【背景技術】
【０００２】
従来、この種の装置として、培養液タンクをヒーターや冷却装置で直接加熱冷却するものや、縦長の槽本体の一側壁に給水溝が沿設され、他側壁に溢流溝が沿設された水耕栽培用水槽などが知られている（特許文献１）。
【０００３】
上記培養液タンクを直接加熱冷却するものは、ヒーターや冷却装置を稼働させることにより、培養液タンクに供給される水耕液を所望の温度にすることができるようにしている。また、上記特許文献１の水耕栽培用水槽は、槽本体の一側壁に給水溝を沿設することにより、水槽内における水耕液の水位や品質、濃度等を一定に保ちながら植物に供給できるようにしている。
【先行技術文献】
【特許文献】
【０００４】
【特許文献１】実開昭６３−１５５３５６号公報
【発明の概要】
【発明が解決しようとする課題】
【０００５】
上記特許文献１の水耕栽培用水槽は、水槽内における水耕液の水位等を均一化できるとはいうものの、それらと同様に植物の生育に重要な役割を果たす水耕液の温度は、周囲の環境に影響を受け易いものであった。即ち、夏季には水槽内の水耕液の温度が高温になり、反対に冬季には低温になることから、一年を通して水耕液の温度を一定に保つことが難しく、水耕液の温度が低温になると、植物の根の活動が低下し、また、高温になると水耕液中の溶存酸素が減少し、結果として根が呼吸できなくなって植物の生育不良の原因となったり、根が褐変したりして、最悪の場合、植物が死滅してしまうことがあった。
一方、培養液タンクを直接加熱冷却するものは、水耕液を所望の温度にできるとはいうものの、上記のように、水耕液は周囲の環境に影響を受け易いことから、そのエネルギー消費が多大なものとなって、経済的でないという問題がある。
【０００６】
本発明は上記の問題に鑑みてなされたもので、その解決しようとする課題は、培養液の水位、品質、濃度を均一化するのは勿論のこと、植物の生育に重要な役割を果たす培養液の温度も、必要最小限のエネルギーで一定に保つことのできる中空栽培槽を提供することにある。
【課題を解決するための手段】
【０００７】
上記目的を達成するため、本発明に係る中空栽培槽は、培養液を溜める液溜め部を有する栽培槽本体と、植物を保持する栽培棚を備えた水耕栽培用の栽培槽であって、上記栽培槽本体は、少なくとも内壁と外壁とを備える中空の多層壁構造体となっており、該多層壁構造体は少なくとも１つの仕切り部により区切られて、複数の中空部が形成されていることを特徴とするものである。
【０００８】
本発明の中空栽培槽においては、少なくとも１つの中空部に、栽培槽本体の液溜め部に培養液を供給する培養液供給部が、栽培槽本体の長さ方向に沿って設けられていることが好ましく、栽培槽本体に、培養液が液溜め部の設定された液面に達すると排出されるオーバーフロー部が設けられており、該培養液供給部が該オーバーフロー部よりも上側に位置することがより好ましい。また、少なくとも１つの中空部に熱媒体を循環させることが好ましく、栽培槽本体が、内壁、外壁、及び、該内壁と外壁との間に設けられた中壁とを備える３重の多層壁構造体であり、液溜め部に最も近い中空部に熱媒体を循環させることがより好ましい。
【発明の効果】
【０００９】
本発明の中空栽培槽は、栽培槽本体が、少なくとも内壁と外壁とを備える中空の多層壁構造体であるため、該内壁と該外壁との間には空気層が形成される。周知のように、空気層は熱を伝え難いため、季節によって外壁が種々の温度変化に晒されたとしても、その熱は内壁には伝わり難く、液溜め部に供給される培養液の温度は一年を通して略一定に保たれる。このように本発明の中空栽培槽は、断熱効果が高く、周囲の環境（特に温度変化）に影響を受け難いため、培養液の温度が、低温になり過ぎて植物の根の活動が低下したり、高温になり過ぎて培養液中の溶存酸素が減少したりすることがない。従って、植物の根が呼吸できなくなって生育不良となったり、根が褐変したりして、植物が死滅してしまうといった不具合が生じることはなく、順調に植物を生育することができる。
【００１０】
また、少なくとも１つの中空部に、栽培槽本体の液溜め部に培養液を供給する培養液供給部が、栽培槽本体の長さ方向に沿って設けられている中空栽培槽は、生育している全ての植物に、均一に培養液を供給することができる。
【００１１】
特に、栽培槽本体に、培養液が液溜め部の設定された液面に達すると排出されるオーバーフロー部が設けられており、該培養液供給部が該オーバーフロー部よりも上側に位置する中空栽培槽は、培養液供給部をオーバーフロー部よりも上側に位置させることにより、一度植物の根に触れた培養液が、再び培養液供給部に逆戻りすることがないため、常に新鮮で均一な濃度の培養液を液溜め部に供給することができる。
【００１２】
更に、少なくとも１つの中空部に熱媒体を循環させる中空栽培槽は、中空の多層壁構造体が有する断熱効果に加えて、熱媒体を循環させて温度管理を補助することにより、必要最小限のエネルギーで培養液の温度をより最適に保つことが可能となり、また、培養液を所望する温度に設定することもできるようになる。
【００１３】
その際、栽培槽本体が、内壁、外壁、及び、該内壁と外壁との間に設けられた中壁とを備える３重の多層壁構造体であり、液溜め部に最も近い中空部に熱媒体を循環させる中空栽培槽のように、栽培槽本体が３重の多層壁構造体であると、より確実に所望の温度を維持することができる。
【図面の簡単な説明】
【００１４】
【図１】本発明の一実施形態に係る中空栽培槽を示す部分斜視図である。
【図２】図１の分解斜視図である。
【図３】同栽培槽の断面図である。
【図４】同栽培槽の断面図である。
【図５】同栽培槽の断面図である。
【図６】本発明の他の実施形態に係る中空栽培槽を示す断面図である。
【図７】本発明の更に他の実施形態に係る中空栽培槽を示す断面図である。
【図８】本発明の更に他の実施形態に係る中空栽培槽を示す断面図である。
【図９】本発明の更に他の実施形態に係る中空栽培槽を示す断面図である。
【発明を実施するための形態】
【００１５】
以下、図面を参照して本発明の具体的な実施形態を詳述する。
【００１６】
図１に示す本発明の中空栽培槽は、天候や害虫の影響を殆ど受けることがなく、効率良く植物８を生育できることから、近年注目されている水耕栽培用の栽培槽であって、培養液５０を溜める液溜め部１ａを有する栽培槽本体１と、植物８を保持する栽培棚２とを備える。
【００１７】
上記栽培槽本体１は、図２等に示すように、内壁１０と外壁１１とを備える中空の多層壁（２重壁）構造体となっており、この多層壁構造体である栽培槽本体１は、その内部で２つの仕切り部３，３により上下に区切られて、複数（本実施形態では３つ）の中空部４が形成されている。
【００１８】
上記内壁１０は、図３に示すように、底板と、底板の両端から立設された側板からなる、断面形状が凹型をした長さ方向に長い板状体であり、その底板及び側板によって囲まれた内側の空間が、培養液５０を溜める液溜め部１ａとなっている。
【００１９】
また、外壁１１も上記の内壁１０と同様に、底板と、底板の両端から立設された側板からなる断面形状が凹型をした長尺板状体であり、その外形は上記内壁１０よりも大きい。
尚、図３に示す実施形態においては、上記のように、内壁１０と外壁１１の断面形状が凹型をしているが、例えば、丸樋のように、その断面形状が略Ｕ字型の内壁１０と外壁１１とを備える栽培槽本体１であってもよく、その形状は特に限定されるものではない。
【００２０】
上記内壁１０と外壁１１とは、外壁１１の内部に内壁１０が配置されて、その上端において連結一体化されている。このように内壁１０と外壁１１とを連結一体化することにより、内壁１０と外壁１１との間は密閉された中空の空間となり、そこに空気層が形成される。周知のように、空気層は熱を伝え難いため断熱効果が高く、季節によって外壁１１が種々の温度変化に晒されたとしても、その温度変化は内壁１０（液溜め部１ａ）には伝わり難い。従って、液溜め部１ａに供給される培養液５０の温度は一年を通して略一定に保たれて、培養液５０の温度が、低温になり過ぎて植物８の根８ａの活動が低下したり、高温になり過ぎて培養液５０中の溶存酸素が減少したりすることがなく、植物８の根８ａが呼吸できなくなって死滅したり褐変したりしてしまうといった不具合が生じることはない。
【００２１】
上記内壁１０と外壁１１とにより形成される凹型の中空空間は、その両側上端部において少なくとも１つ（図中においては２つ）の仕切り部３により水平方向に区切られて、栽培槽本体１の左側上端部と右側上端部、及び／又は、側面部から底面部に亘る複数（図中においては３つ）の中空部４が形成されている。そして、この左側及び右側上端部の中空部４，４には、栽培槽本体１の液溜め部１ａに培養液５０を供給するための培養液供給部５が、栽培槽本体１の長さ方向に沿って設けられている。
【００２２】
上記培養液供給部５は、培養液５０を液溜め部１ａに供給する供給孔５ａが、その長さ方向に一定の間隔を開けて複数個穿孔された円筒若しくは円柱管形状をしたものであり、この供給孔５ａが、内壁１０の長さ方向に沿って複数穿孔された孔１０ａと合致するように配置されている。このように左側及び右側上端部の中空部４，４に培養液供給部５，５を設けることにより、培養液供給部５に供給された培養液５０は、供給孔５ａから内壁１０の孔１０ａを経て液溜め部１ａに供給される。従って、培養液５０の水位が減少した際は、培養液供給部５から温度、組成、溶存酸素などが制御された培養液５０を供給することにより、均質な培養液５０の水位を常に一定に保つことができる。
尚、この培養液供給部５は、本実施形態のように、必ずしも独立したものである必要はなく、後述するが、中空部４と一体型であっても構わない。
【００２３】
上記培養液供給部５より植物８に供給される培養液５０は、栽培する植物８ごとに最適な成分組成が異なり、また、品種、栽培時期、生育段階、温度、光条件によっても成分組成が変わってくるものではあるが、植物８が根８ａから吸収する必須元素（窒素、リン、カリ、カルシウム、マグネシウム、硫黄、ホウ素、鉄、マンガン、銅、亜鉛、モリブデン、塩素、ニッケル、酸素）が含まれたものを用いる。
【００２４】
また、上記栽培槽本体１には、余剰な培養液５０を排出するためのオーバーフロー部６が設けられている。このオーバーフロー部６は、図１、図２に示す例では、円形の筒管であって、内壁１０の底面と外壁１１の底面にそれぞれ穿孔された挿通孔に挿通されて、内壁１０より立設されている。オーバーフロー部６の周囲には、止水性を向上させる止水パッキン６ａが周設されており、この２枚の止水パッキン６ａ，６ａが、内壁１０及び外壁１１の挿通孔の位置に配置されて、止水性を担保している。このオーバーフロー部６を設けることにより、培養液５０の液面がその上端開口に達すると、オーバーフロー部６の内部に培養液５０が流入し、下端開口より外部に排出されるようになっている。
【００２５】
更に、図３に示すように、上記オーバーフロー部６の上端開口は、上記培養液供給部５の供給孔５ａよりも下側に位置するように設けられている。従って、培養液５０の液面が、供給孔５ａの位置（即ち孔１０ａの位置）まで上昇することがなく、一度植物８の根８ａに触れた培養液５０が、再び培養液供給部５に逆戻りすることがないため、常に新鮮で均一な品質・濃度の培養液５０を全ての植物８に供給することができる。
【００２６】
上記オーバーフロー部６は、その上端開口位置を上下に移動させることにより、培養液５０の液面（上面）位置を任意に変更することができる。即ち、図３に示すように、オーバーフロー部６の上端開口位置を、培養液供給部５の供給孔５ａよりも少しだけ低い位置に設けると、培養液５０の水位が、培養液供給部５の供給孔５ａ近くに達するまでオーバーフローすることはない。従って、液溜め部１ａの大部分を培養液５０の貯溜スペースとして活用することができるため、植物８の根８ａが十分に生育していなくとも、植物８の根８ａが培養液５０に浸かって養分を吸収することができる。
【００２７】
また、ある程度植物８が成長すると、その根８ａも下方に伸びてくる。そのような場合は、図４に示すように、オーバーフロー部６の上端開口位置を下方に移動させて、その設定液面を下げることにより、培養液５０の供給量を減らして、コストを削減することができるようにもなる。
【００２８】
更に、オーバーフロー部６の上端開口の位置を、図５に示すように、内壁１０の底面まで下げることにより、液溜め部１ａの排出口としても利用することができるようになり、液溜め部１ａの清掃時等に利便性が良い。このように、栽培槽本体１に、培養液５０が液溜め部１ａの設定された液面に達すると排出されるオーバーフロー部６を上下移動可能に設けることにより、植物８の成長に合わせて培養液５０の供給量を最適化することが可能となって、必要以上の培養液５０を供給することもなくなる。
尚、内壁１０に別途排出口（不図示）を設けてもよいことは言うまでもない。
【００２９】
上記のように、仕切り部３により区切られた左側及び右側上端部の中空部４，４は、培養液供給部５として利用される空間となっている。そして、残りの栽培槽本体１の側面部から底面部に亘る中空部４は、液溜め部１ａに供給された培養液５０の温度を一定に保つ効果を奏する断熱層となっている。前述したように、内壁１０と外壁１１との間には空気層が形成されるため、中空部４の断熱効果は高く、季節によって外壁１１が熱せられたり冷やされたりしたとしても、その温度変化は内壁１０まで伝わり難い。従って、内壁１０の内側の培養液５０の温度は、季節に拘わらず、一年を通して略一定に保たれる。
【００３０】
尚、植物８の種類によっては、高温を好むものや、低温を好むものもあり、そのような植物８を生育するときは、培養液５０の温度を一定に保つだけでなく、培養液５０を植物８の成長に適した温度に設定する必要が生じる。また、如何に中空部４の断熱効果が高いと言えども限界はある。このような場合は、図４に示すように、栽培槽本体１の側面部から底面部に亘る中空部４に、熱媒体７を循環させることで対応することができる。この熱媒体７は、中空部４を循環させて所望の温度を維持できるものであればどのようなものでも構わないが、主に液体又は気体が用いられる。この液体又は気体である熱媒体７を中空部４に循環させることにより、熱媒体７は栽培槽本体１の全域に亘って循環し、その内側の液溜め部１ａに供給された培養液５０が、所望する温度となる。このように熱媒体７を循環させたとしても、本発明は、中空部４を形成することにより高い断熱効果を有することから、必要最小限のエネルギー消費で培養液５０を所望する温度に設定することができ、その後も省エネルギーで温度を一定に保つことができる。
【００３１】
上記のような構成の栽培槽本体１は、図１、図３に示すように、その開口部（液溜め部１ａの上端開口）が栽培棚２により覆われている。この栽培棚２は、図２に示すように、植物８を保持する保持孔２ａが、千鳥状に穿孔された長尺の板状体（保持孔２ａが一定間隔で穿孔された板状体であっても勿論構わない）であり、該保持孔２ａには植物８が保持されている。保持される植物８は、果物・野菜や鑑賞用植物など特に限定されるものではなく、栽培棚２の保持孔２ａより液溜め部１ａに落下しないように、植物８はスポンジ状の栓８ｂにより囲繞されている。この栓８ｂは、植物８を保持するだけでなく、培養液５０に触れると培養液５０を吸収し、植物８の根８ａ全体に培養液５０が行き渡るようにする役割も果たす。
【００３２】
本発明の中空栽培槽のように、水耕栽培においては、栄養豊富な培養液５０を植物８に十分供給することから、アオコなどの藻が発生し易い環境になる。アオコなどの藻は、水質浄化など自然環境においては欠かせない存在であるが、水耕栽培において藻が発生すると、培養液５０の養分が藻に摂取されて植物８の生育が遅くなり、生育不良の原因ともなって好ましくない。藻が発生する一番の要因は光であると言われており、培養液５０に光が照射されないようにすることが重要である。従って、上記栽培槽本体１及び栽培棚２において、培養液５０に光が照射されないように遮光する必要がある。栽培槽本体１は、上記のように、内壁１０と外壁１１を備える多層壁構造体であり、透明或いは半透明でない限り遮光性を有することから、本実施形態では、塩化ビニル樹脂により押出成形されたものが用いられている。
【００３３】
これに対して栽培棚２は、一枚の板状体であるため光が通過し易い。この光の通過を阻止するには、ある程度の厚みを有し、光が通過し難い材質で形成されている必要がある。従って、この栽培棚２として、厚みが１〜３０ｍｍ程度の光が通過し難い発泡スチロールやプラスチック板や、３０〜１０００μｍ程度の不透過性のアルミフィルム等が用いられ、培養液５０への光の供与を抑えながら、光の反射を助長して植物８に光をより多く供給できる白色のものが好適に用いられる。このように、栽培槽本体１及び栽培棚２によって、培養液５０に光が照射されることを防止することにより、アオコなどの藻の発生が抑えられて、植物８を順調に生育することができる。
【００３４】
図６は本発明の他の実施形態に係る中空栽培槽を示す断面図である。
【００３５】
本実施形態の中空栽培槽は、内壁１０と外壁１１の形状が、前述した図１〜図５に示す実施形態の中空栽培槽とは異なる。即ち、本実施形態の内壁１０及び外壁１１は、図６に示すように、底板と、底板の両端から立設された側板と、側板の上端から内側方向に向って水平に突設された板状片からなるもので、内壁１０と外壁１１とは、その板状片の内側端面において上下に連結されて一体化されている。
【００３６】
上記内壁１０と外壁１１との間に形成される中空の空間は、内側に突出した板状片部分において、それぞれ仕切り部３，３により上下に区切られて、２つの中空部４，４が形成されている。そして、その中空部４には、横長の方形状の培養液供給部５が設けられて、植物８の成長に必要不可欠な培養液５０を液溜め部１ａに供給している。また、栽培槽本体１の左側及び右側に形成された中空の空間は、それぞれ２つの仕切り部３，３により水平に区切られて、中空部４が左側に３つ、右側に３つ形成されている。更に、栽培槽本体１の下端部の中空空間は、２つの仕切り部３，３により上下に区切られて、１つの中空部４が形成されている。このように、本実施形態の栽培槽本体１は、合計９つの中空部４が形成されたものであって、左右中段の中空部４，４、及び、中央下段の中空部４に、培養液５０を所望の温度にする熱媒体７を循環させている。
【００３７】
また、上記栽培槽本体１の開口を覆う栽培棚２は、上端にフランジが形成された略Ｔ字型のものが用いられる。そして、この栽培棚２の保持孔２ａに、植物８を囲繞したスポンジ状の栓８ｂが嵌入されて、植物８が落下することなく保持されている。
図６に示す実施形態の中空栽培槽のその他の構成は、前述した図１〜図５に示す実施形態と同様であるので、同一部材に同一符号を附して説明を省略する。
【００３８】
本実施形態の中空栽培槽は、栽培棚２により覆う栽培槽本体１の開口面積が小さいため、遮光性が極めて高く、アオコなどの藻の発生を最小限に抑えることができる。また、培養液供給部５を、栽培槽本体１の上端から近い位置に設けることによって、培養液５０の液面（上面）と植物８の根８ａまでの距離が近くなり、根８ａの小さな植物８でも生育することができる。
【００３９】
図７は本発明の更に他の実施形態に係る中空栽培槽を示す断面図である。
【００４０】
図７に示す実施形態の中空栽培槽は、内壁１０及び外壁１１が、Ｖ字形状をした栽培槽本体１を用いたものである。前述した実施形態の中空栽培槽は、内壁１０と外壁１１とが、その上端において連結一体化されたものであったが、本実施形態の中空栽培槽は、内壁１０と外壁１１とが、その上端において連結一体化されずに開放しており、この開放部を栽培棚２で覆うことにより、密閉された中空の空間が形成される。そして、この中空の空間は、左側及び右側において、それぞれ２つの仕切り部３，３により水平方向に区切られて、合計５つの中空部４が形成されており、最下段のＶ字形をした中空部４に熱媒体７を循環させている。また、この中空栽培槽は、培養液供給部５として、前述したような筒管などは用いず、左側及び右側上端部の中空部４，４に直接培養液５０を注入し、中空部４を培養液供給部５として利用することにより、内壁１０の孔１０ａから植物８に供給するようにしている。
本実施形態の中空栽培槽のその他の構成は、前述した図１〜図５に示す実施形態と同様であるので、同一部材に同一符号を附して説明を省略する。
【００４１】
この中空栽培槽は、前述した方形の液溜め部１ａを有する栽培槽本体１と比較すると、略半分の量の培養液５０で、植物８を生育することができるため、極めて経済的である。
【００４２】
図８は本発明の更に他の実施形態に係る中空栽培槽を示す断面図である。
【００４３】
図８に示す実施形態の中空栽培槽は、図７に示したＶ字形状の栽培槽本体１の周囲を、更に底面部と側面部からなる凹型の板部で囲繞し、支えなしでも安定して設置できる形状にしたものである。この中空栽培槽は、支えなしで安定して設置することができるだけでなく、凹型の板部とＶ字形状の外壁１１との間に中空部４が形成されるため、断熱効果がより一層優れた構造となっている。
【００４４】
図９は本発明の更に他の実施形態に係る中空栽培槽を示す断面図である。
【００４５】
この実施形態の中空栽培槽は、図９に示すように、内壁１０、外壁１１、及び、内壁１０と外壁１１との間に設けられた中壁１２とを備える３重壁の多層壁構造体である栽培槽本体１を用いたものである。この内壁１０、外壁１１、中壁１２とは、その上端において連結一体化されて、密閉された凹型の中空空間が二層形成されている。内壁１０と中壁１２とは、左側及び右側上端部において、２つの仕切り部３，３により水平方向に区切られていると共に、左側及び右側下端部において、２つの仕切り部３，３により水平方向に区切られている。そして、左側及び右側上端部の中空部４に培養液供給部５を設けると共に、液溜め部１ａに最も近い中空部４である、内壁１０と中壁１２との間に形成された、左右中段の中空部４，４、及び、下段の中空部４に熱媒体７を循環させている。
実施形態の中空栽培槽のその他の構成は、前述した図１〜図５に示す実施形態と同様であるので、同一部材に同一符号を附して説明を省略する。
【００４６】
上記構成の中空栽培槽は、内壁１０と外壁１１の間に中壁１２を介在させることにより、断熱層が二層となるため、より一層断熱効果が高まって、周囲の環境に影響を受けることが殆どなくなる。それに加えて、液溜め部１ａに最も近い中空部４熱媒体７を循環させることにより、植物８の生育に必要な環境（特に培養液５０の温度）を最適化することができる。
【００４７】
以上の説明から明らかなように、本発明の中空栽培槽は、天候や害虫の影響を殆ど受けることがなく、土耕栽培の２倍以上の早さで植物８が生育すると言われている水耕栽培であるため、短期間で植物８を生育することができる。また、左側及び右側上端部の中空部４，４に、栽培槽本体１の長さ方向に沿って培養液供給部５を設け、その培養液供給部５をオーバーフロー部６よりも上側に位置させることにより、生育している全ての植物８に、新鮮で均一な濃度の培養液５０を供給することができる。このように、培養液５０の水位、品質、濃度を均一化するだけでなく、栽培槽本体１を、内壁１０と外壁１１を備える中空の多層壁構造体とすることにより、周囲の環境（特に温度変化）の影響を受け難くなり、また、必要に応じて熱媒体７を循環させることにより、培養液５０の温度が、低温になり過ぎたり高温になり過ぎたりすることなく、培養液５０は、常に植物８の最適な温度に保たれるため、順調に植物８を生育することができる。
【符号の説明】
【００４８】
１    栽培槽本体
１ａ  液溜め部
１０  内壁
１０ａ  孔
１１  外壁
１２  中壁
２    栽培棚
２ａ  保持孔
３    仕切り部
４    中空部
５    培養液供給部
５ａ  供給孔
５０  培養液
６    オーバーフロー部
７    熱媒体
８    植物
８ａ  根
８ｂ  栓８ｂ
【図１】
2016154473.tif 000003
【図２】
2016154473.tif 000004
【図３】
2016154473.tif 000005
【図４】
2016154473.tif 000006
【図５】
2016154473.tif 000007
【図６】
2016154473.tif 000008
【図７】
2016154473.tif 000009
【図８】
2016154473.tif 000010
【図９】
2016154473.tif 000011